(57)【要約】【課題】回動リンクにシートベルトのウェビングが触れることを防止して、その損傷を抑制することが可能な車両用シートを提供する。【解決手段】折り畳み可能な車両用シートに設けられた回動リンク２０の回動軸２１ｂの端部は、車両用シートの幅方向において回動リンク２０の側壁部２１ａを貫通している。側壁部２１ａには、ウェビング３０ａ，３０ｂを介して保持するブラケット３０ｄと、ウェビング３０ａ，３０ｂと回動リンク２０との接触を抑制するワイヤー２１ｄと、が設けられている。ワイヤー２１ｄは、回動リンク２０から離間した位置でウェビング３０ａ，３０ｂと当接する。【選択図】図３
2016078693.tif 000002
【特許請求の範囲】
【請求項１】
シートクッションと、該シートクッションの下方に配置された回動リンクと、を備え、該回動リンクが前記シートクッションに近接する向きに回動することで折り畳み可能な車両用シートであって、
前記回動リンクの側壁部には、
前記車両用シートの着座者が装着するシートベルトをロック状態にするためのバックルを、ウェビングを介して保持するバックル保持部と、
前記回動リンクから離間した位置で前記ウェビングと当接し、前記ウェビングと前記回動リンクとの接触を抑制する接触抑制部と、が設けられていることを特徴とする車両用シート。
【請求項２】
前記回動リンクの回動軸の端部は、前記車両用シートの幅方向において前記回動リンクの前記側壁部を貫通しており、
前記接触抑制部は、前記回動軸の端部から離間した位置で前記ウェビングと当接し、前記ウェビングと前記回動軸の端部との接触を抑制することを特徴とする請求項１に記載の車両用シート。
【請求項３】
前記接触抑制部は、線状部材から成るものであることを特徴とする請求項１又は２に記載の車両用シート。
【請求項４】
前記線状部材は、前記側壁部に端部を固定されて前記回動リンクの回動軸の端部と前記ウェビングとの間に配置されるように曲がって形成されていることを特徴とする請求項３に記載の車両用シート。
【請求項５】
前記ウェビングは、前記側壁部に設けられた前記バックル保持部に固定され、前記シートクッションに形成されたスリットを貫通して配置されており、
前記バックル保持部及び前記スリットは、前記接触抑制部よりも前記回動リンクの中心軸側に形成されていることを特徴とする請求項１乃至４のいずれか一項に記載の車両用シート。
【請求項６】
前記回動リンクは、２個の前記ウェビングが対向する前記側壁部における両壁面に固定されており、
前記回動リンクの回動軸の端部と２個の前記ウェビングとの間のそれぞれに前記接触抑制部が形成されていることを特徴とする請求項１乃至５のいずれか一項に記載の車両用シート。
【請求項７】
前記側壁部には、前記ウェビングの後方を覆うように形成されたベルトカバーが取り付けられていることを特徴とする請求項１乃至６のいずれか一項に記載の車両用シート。
【請求項８】
前記ベルトカバーは、前記回動リンクを覆う回動リンクカバーと一体的に形成されていることを特徴とする請求項７に記載の車両用シート。
【発明の詳細な説明】
【技術分野】
【０００１】
本発明は、車両用シートに係り、特に、折り畳み可能な車両用シートにおけるシートベルトの摩耗を抑制することが可能な車両用シートに関する。
【背景技術】
【０００２】
車体フロアに形成された収納位置に収納可能な車両用シートは既に周知であり、その中には、車両の後部座席に相当する車両用シートであって、後方に跳ね上がって車体フロアの後方に設けられた凹部に収納可能な車両用シートが存在する（例えば、特許文献１参照）。
【０００３】
車両用シートを収納するための機構としては、車両用シートのシートクッションと車体フロアとの間を連結し車体フロアに対して回動する回動リンクが知られている。この回動リンクによる回動軸を中心とした回動動作により、シートクッションが収納位置に向かって移動することとなる。
【先行技術文献】
【特許文献】
【０００４】
【特許文献１】特開２０１４−１７２４８５号公報
【発明の概要】
【発明が解決しようとする課題】
【０００５】
ここで、特許文献１に記載された車両用シートにおいては、シートベルトのバックル側のウェビングが、シートベルトアンカーとしてのブラケットによって、回動リンクに固定されている。
そして、回動リンクは、回動することによってシートクッションに近接又は離間する。このため、回動リンクに固定されたウェビングは、回動リンクがシートクッションに近接したときには弛み、回動リンクがシートクッションに離間したときには伸張することとなる。
このため、ウェビングは、回動リンクの回動に応じて、緩み又は伸長することによって、回動リンク（特に軸端部）に触れて、擦り切れて損傷してしまうことがあった。
【０００６】
そして、ウェビングと回動リンクとの接触を防止するような別個の部材を回動リンクに取り付けると、その取付作業により製造効率が低下することがあった。また、その部材が他の部材と干渉することによって、回動リンクの回動を阻害してしまうことがあった。
【０００７】
そこで、本発明は、上記の問題に鑑みてなされたものであり、その目的は、回動リンクにシートベルトのウェビングが触れることを防止して、その損傷を抑制することが可能な車両用シートを提供することにある。
他の目的としては、ウェビングの損傷を抑制することができるとともに、他の部材との干渉を回避して円滑な回動を実現できる車両用シートを提供することにある。
さらに他の目的として、ウェビングの損傷を抑制することが可能であり取り付けが容易である部材を備える車両用シートを提供することにある。
【課題を解決するための手段】
【０００８】
前記課題は、本発明の車両用シートによれば、シートクッションと、該シートクッションの下方に配置された回動リンクと、を備え、該回動リンクが前記シートクッションに近接する向きに回動することで折り畳み可能な車両用シートであって、前記回動リンクの側壁部には、前記車両用シートの着座者が装着するシートベルトをロック状態にするためのバックルを、ウェビングを介して保持するバックル保持部と、前記回動リンクから離間した位置で前記ウェビングと当接し、前記ウェビングと前記回動リンクとの接触を抑制する接触抑制部と、が設けられていることにより解決される。
上記構成によれば、回動リンクの側壁部に、接触抑制部が設けられていることにより、回動リンクから離間した位置でウェビングと当接してウェビングと回動リンクとの接触を抑制することができる。
【０００９】
前記回動リンクの回動軸の端部は、前記車両用シートの幅方向において前記回動リンクの前記側壁部を貫通しており、前記接触抑制部は、前記回動軸の端部から離間した位置で前記ウェビングと当接し、前記ウェビングと前記回動軸の端部との接触を抑制するようにすると好ましい。
上記構成によれば、接触抑制部が、回動軸の端部から離間した位置でウェビングと当接することで、ウェビングが接触することにより摩耗しやすい回動リンクの回動軸の端部とウェビングとの接触を抑制することができる。
【００１０】
また、前記接触抑制部は、線状部材から成るものであってもよい。
上記構成によれば、占有スペースの小さい線状部材を接触抑制部として用いることで、他の部材との干渉を避けることができ、簡単に取り付けることが可能となる。
【００１１】
さらに、前記線状部材は、前記側壁部に端部を固定されて前記回動リンクの回動軸の端部と前記ウェビングとの間に配置されるように曲がって形成されていると好ましい。
上記構成によれば、線状部材が曲がって形成されていることにより、回動軸の端部とウェビングとの接触を防止するのに必要な部分のみを側壁部から突出させるようにして、スペースを有効活用することができる。
【００１２】
また、前記ウェビングは、前記側壁部に設けられた前記バックル保持部に固定され、前記シートクッションに形成されたスリットを貫通して配置されており、前記バックル保持部及び前記スリットは、前記接触抑制部よりも前記回動リンクの中心軸側に形成されていてもよい。
このように、着座者を保持するために決定されたスリット位置、及びシートの安定支持のために決定された回動リンクのバックル保持部の位置が、接触抑制部よりも回動リンクの中心軸側に形成されている場合であっても、接触抑制部によってウェビングが回動リンクに触れることを抑制できる。
【００１３】
また、前記回動リンクは、２個の前記ウェビングが対向する前記側壁部における両壁面に固定されており、前記回動リンクの回動軸の端部と２個の前記ウェビングとの間のそれぞれに前記接触抑制部が形成されていると好ましい。
このように、回動リンクが、２個のウェビングが対向する側壁部における両壁面に固定されていることで、例えば前突時に、２個のウェビングから回動リンクを引く力が生じるときに、回動リンクの側壁部にバランスよく負荷がかかり効率的に力を受けることができる。さらに、１個の回動リンクによって、２個のウェビングをまとめて効率良く支持できるようになる。
【００１４】
また、前記側壁部には、前記ウェビングの後方を覆うように形成されたベルトカバーが取り付けられていると好ましい。
このように、側壁部に、ウェビングの後方を覆うように形成されたベルトカバーが取り付けられていることで、ウェビングを保護することができる。特に、シートクッションに対して回動リンクが回動軸を中心に折り畳まれたときに、回動リンクとシートクッションが近づくことでウェビングに弛みが生じても、ベルトカバーによって拡がりを抑え、回動軸の端部に触れてウェビングが摩耗することを防止できる。
【００１５】
また、前記ベルトカバーは、前記回動リンクを覆う回動リンクカバーと一体的に形成されていると好ましい。
このように、前記ベルトカバーが、前記回動リンクを覆う回動リンクカバーと一体的に形成されていることで、回動リンク及びウェビングの保護が可能となるとともに、ベルトカバーの製造、回動リンクへの組み付けが容易となる。
【発明の効果】
【００１６】
本発明によれば、回動リンクにシートベルトのウェビングが触れることを防止して、その損傷を抑制することが可能な車両用シートを提供することができる。
また、本発明によれば、占有スペースの小さい線状部材を接触抑制部として用いることで、他の部材との干渉を避けることができ、簡単に取り付けることが可能となる。
また、本発明によれば、線状部材が曲がって形成されていることにより、回動軸の端部とウェビングとの接触を防止するのに必要な部分のみを側壁部から突出させるようにして、スペースを有効活用することができる。
また、本発明によれば、回動リンクの側壁部にバランスよく負荷をかけることができ、効率的に力を受けることができる。さらに、１個の回動リンクによって、２個のウェビングをまとめて効率良く支持できるようになる。
また、本発明によれば、ベルトカバーによってウェビングの拡がりを抑え、回動軸の端部に触れてウェビングが摩耗することを防止できる。
また、本発明によれば、回動リンク及びウェビングの保護が可能となるとともに、ベルトカバーの製造、回動リンクへの組み付けが容易となる。
【図面の簡単な説明】
【００１７】
【図１】本発明の実施形態に係る車両用シートを折り畳む状態を説明する模式図である。
【図２】車両用シートを下側から見た模式図である。
【図３】回動リンクにおけるウェビングの固定部位を拡大して示す図である。
【発明を実施するための形態】
【００１８】
以下、本発明の実施形態に係る車両用シートについて図面を参照しながら説明する。ここで、図１は、本発明の実施形態に係る車両用シート（以下、単にシート）Ｓを折り畳む状態を説明する模式図、図２は、シートＳを下側から見た模式図、図３は、回動リンク２０におけるウェビング３０ａ，３０ｂの固定部位を拡大して示す図である。
なお、以下の説明において、前後方向とは、車両の前後方向（全長方向）を意味し、車両用シートの前後方向に相当する。また、幅方向とは、車両の左右方向（横幅方向）を意味し、車両用シートの幅方向に相当する。
【００１９】
本実施形態に係るシートＳは、車両の後部座席を構成するものであり、図１に示すように、後方に折り畳み可能に構成されるものである。
【００２０】
シートＳは、着座部Ｓ１を備えており、着座部Ｓ１は、乗員が着座するシートクッション１、乗員を背側から支えるシートバック２を備える。そして、シートＳの後方には車体フロアＴに形成された凹型の収納スペースＴ１が設けられている。この収納スペースＴ１の内部が収納位置に相当し、各シートＳは、収納スペースＴ１に収納可能となるように構成されている。
【００２１】
シートＳの収納動作について概説すると、シートＳが収納前の状態、すなわち、図１において実線で示す着座可能状態（使用状態ともいう。）にあるときに乗員が不図示の操作ストラップを引っ張ると、シートバック２が前傾して着座部Ｓ１が折り畳まれるようになる。その後、折り畳まれた着座部Ｓ１は、図１に二点鎖線で示すように、後方に沈み込む方向へ移動する。そして、最終的には、収納スペースＴ１内にシートＳ全体が格納される。
【００２２】
このように、着座部Ｓ１を収納スペースＴ１内に向けて移動させる構成として、図２に示すように、シートＳは、３つのリンク部材（回動リンク２０、外側リンク２２及びガイドリンク２３）とシートクッション１の持ち上げをアシストする付勢力を有するピストンダンパ２４とを備える。
【００２３】
回動リンク２０、外側リンク２２、ガイドリンク２３及びピストンダンパ２４は、収納スペースＴ１側に取り付けられるフロア側ベース部材Ｔ３と、シートクッション１とにそれぞれの端部を回動可能に取り付けられている。
【００２４】
特に、回動リンク２０は、図３に示すように、シートクッション１の骨格の一部をなす後部フレーム１ａに回動軸２１ｂによって回動可能に取り付けられている。詳細には、回動軸２１ｂは、シート幅方向に延在する後部フレーム１ａから略前方に延在するように溶接された一対のステー１ｂに、垂直、つまり、後部フレーム１ａに略平行に取り付けられている。
【００２５】
また、回動リンク２０のシート幅方向にある両方の側壁部２１ａのそれぞれには、シートＳの使用状態において前方に膨出するように略Ｃ字状に曲げられて形成され、回動リンク２０の中心軸からシート幅方向外側に拡がるようにワイヤー２１ｄが溶接されている。
【００２６】
ワイヤー２１ｄは、本発明に係る線状部材及び接触抑制部に相当し、後述するウェビング３０ａ，３０ｂと回動軸２１ｂとの接触を防止するためのものである。
特に、ワイヤー２１ｄは、上記のように線状を成し、曲げられて形成されている。このため、ワイヤー２１ｄによれば、その占有スペースが小さくなることで他の部材との干渉を避けつつ、回動軸２１ｂの端部とウェビング３０ａ，３０ｂとの接触を防止するのに必要な部分のみを側壁部２１ａから突出させることができる。
さらに、ワイヤー２１ｄは、ウェビング３０ａ，３０ｂと回動軸２１ｂとの接触を抑制するために、回動軸２１ｂよりも上方まで延在して側壁部２１ａに取り付けられている。
【００２７】
また、回動リンク２０には、ワイヤー２１ｄの一部から回動リンク２０のフロア側ベース部材Ｔ３に接続された端部側までを覆うようにリンクカバー２１ｅが取り付けられている。
リンクカバー２１ｅは、シートクッション１の後部フレーム１ａ側の端部におけるシートクッション１に近接する側に切欠き２１ｆを有する。この切欠き２１ｆによって後述するウェビング３０ａ，３０ｂが取り付けられる部位が露出していることで、その取付作業が容易となる。
また、リンクカバー２１ｅは、ワイヤー２１ｄのシート幅方向外側への拡がりに沿うように、その端部２１ｇが拡げられて形成されている。リンクカバー２１ｅは、このように端部２１ｇが拡げられてワイヤー２１ｄを覆うことで、ウェビング３０ａ，３０ｂの撓みによるシート幅方向外側の拡がりを抑制することができる。
【００２８】
そして、回動リンク２０のシート幅方向にある両方の側壁部２１ａのそれぞれには、回動軸２１ｂよりもフロア側ベース部材Ｔ３側に、ボルト３０ｅ、ナット３０ｆによってブラケット３０ｄが取り付けられている。
ブラケット３０ｄは、本発明に係るバックル保持部に相当し、シートベルト３０のウェビング３０ａ，３０ｂを回動リンク２０に取り付けるためのものである。ブラケット３０ｄは、クランク型に屈曲した板状から成り、ウェビング３０ａ，３０ｂが通される通し孔３０ｇを有する。
【００２９】
なお、回動リンク２０のサイズ（太さ）は、外側リンク２２及びガイドリンク２３のサイズ（太さ）に比べて大きい。ここで、例えば車両の前突時に、ウェビング３０ａ，３０ｂのブラケット３０ｄの取付対象には、シートベルト３０から大きな荷重が加わることとなる。このため、ウェビング３０ａ，３０ｂのブラケット３０ｄの取付対象は、外側リンク２２やガイドリンク２３等よりもサイズが大きく剛性の高い回動リンク２０であることが望ましい。
【００３０】
そして、２個のウェビング３０ａ，３０ｂは、ブラケット３０ｄを介して、回動リンク２０における対向する側壁部２１ａに固定されている。このため、例えば車両の前突時に、２個のウェビング３０ａ，３０ｂから回動リンク２０を引く力が生じるときに、回動リンク２０の側壁部２１ａにバランスよく負荷がかかり効率的に力を受けることができる。さらに、１個の回動リンク２０によって、２個のウェビング３０ａ，３０ｂをまとめて効率良く支持できるようになる。
【００３１】
回動リンク２０の近傍にあるシートクッション１には、上下面を貫通するスリット１０ａ，１０ｂが幅方向に間隔をおいて形成されている。
このスリット１０ａ，１０ｂは、先端側にバックル３０ｃを接続されたウェビング３０ａ，３０ｂの基端側を回動リンク２０に固定するために、ウェビング３０ａ，３０ｂをシートクッション１に挿通させるためものである。
【００３２】
スリット１０ａは、スリット１０ａを通るウェビング３０ａに接続されたバックル３０ｃの引き出し位置の関係上、シート幅方向において、回動軸２１ｂの一方の端部よりも回動リンク２０の中心軸側に形成されている。
【００３３】
このように形成されたスリット１０ａにウェビング３０ａを通し、例えばワイヤー２１ｄか形成されていない回動リンク２０の側壁部２１ａにブラケット３０ｄによってウェビング３０ａを固定すると、回動軸２１ｂの一方の端部にウェビング３０ａが触れてしまうことがある。
特に、シートＳを使用状態から収納状態に変更するときには、回動リンク２０がシートクッション１に近づくために、回動リンク２０に固定されたウェビング３０ａが撓み大きくなる。このため、ウェビング３０ａと回動軸２１ｂの一方の端部が接触していると摩擦力が加わり、ウェビング３０ａが摩耗してしまうことがある。
【００３４】
一方、回動リンク２０の側壁部２１ａにワイヤー２１ｄが取り付けられている場合には、ウェビング３０ａは回動軸２１ｂの一方の端部と離間した位置でワイヤー２１ｄに当接することとなる。このため、シートＳが使用状態と収納状態との相互に切り替わる場合であっても、ウェビング３０ａが回動軸２１ｂの一方の端部に接触することを防止することができる。
【００３５】
特に、この機能は、シート幅方向において、ウェビング３０ａが引き出されるスリット１０ａが回動軸２１ｂよりも回動リンク２０の中心軸側にあり、ウェビング３０ａにおけるブラケット３０ｄとの接続部が回動軸２１ｂよりも回動リンク２０の中心軸側にあっても発揮される。つまり、ワイヤー２１ｄによれば、着座者をシートベルト３０によって支持するために必然的に決定されるスリット１０ａの位置の影響を受けずに、ウェビング３０ａが回動軸２１ｂに触れることを防止することができる。
【００３６】
また、スリット１０ｂは、スリット１０ｂを通るウェビング３０ｂに接続されたバックル３０ｃの引き出し位置の関係上、シート幅方向において、回動リンク２０の中心軸に対して回動軸２１ｂの他方の端部よりも外側に形成されている。
【００３７】
このように形成されたスリット１０ｂにウェビング３０ｂを通し、回動リンク２０の側壁部２１ａにウェビング３０ｂを固定した場合に、ウェビング３０ａと異なり、回動軸２１ｂの他方の端部にウェビング３０ｂが触れない状態になることもある。理由としては、ウェビング３０ａが通るスリット１０ａと異なり、スリット１０ｂは、シート幅方向において回動軸２１ｂの端部よりも外側に形成されているためである。
しかしながら、上記のように、シートＳを収納状態にする際には、回動リンク２０がシートクッション１に近づくことで撓んだウェビング３０ｂが、回動軸２１ｂの他方の端部に触れて、摩擦力が加わり、ウェビング３０ｂが摩耗してしまうことがある。
【００３８】
このため、回動リンク２０の側壁部２１ａにワイヤー２１ｄが取り付けられていることで、シートＳを使用状態と収納状態との相互に切り替える場合であっても、ワイヤー２１ｄがウェビング３０ｂに当接することによるウェビング３０ｂの摩耗を防止することができる。
【００３９】
上記の実施形態には、主として本発明の車両用シートについて説明した。しかし、上記の実施形態は、本発明の理解を容易にするためのものであり、本発明を限定するものではない。本発明は、その趣旨を逸脱することなく、変更、改良され得るとともに、本発明にはその等価物が含まれることは勿論である。
【００４０】
例えば、本発明に係る接触抑制部としてワイヤーを用いるものとして説明したが、回動軸に離間した位置で当接することで、回動軸の端部との接触を回避できればよく、ワイヤーに限らず、板状や突出したブロック状のものであってもよい。
【００４１】
また、上記実施形態においては、ワイヤーによってウェビングとの接触を抑制する対象は回動リンクの回動軸の端部であるものとして説明した。回動軸の端部は他の部位よりも突出しているために、このような構成とすることがウェビングの摩耗を防ぐのに最も効果的である。
さらに、回動リンクにおける回動軸の端部以外の部位にエッジがある場合に、これにウェビングが接触する場合にも摩耗が生じ得るため、この部位にも触れない構成にするとより好適となる。
【符号の説明】
【００４２】
Ｓ  シート
Ｓ１  着座部
Ｔ  車体フロア
Ｔ１  収納スペース
Ｔ３  フロア側ベース部材
１  シートクッション
１ａ  後部フレーム
１ｂ  ステー
２  シートバック
１０  スリット
２０  回動リンク
２１ａ  側壁部
２１ｂ  回動軸
２１ｄ  ワイヤー（線状部材、接触抑制部）
２１ｅ  リンクカバー
２１ｆ  切欠き
２１ｇ  端部
２２  外側リンク
２３  ガイドリンク
２４  ピストンダンパ
３０  シートベルト
３０ａ，３０ｂ  ウェビング
３０ｃ  バックル
３０ｄ  ブラケット（バックル保持部）
３０ｅ  ボルト
３０ｆ  ナット
３０ｇ  通し孔
【図１】
2016078693.tif 000003
【図２】
2016078693.tif 000004
【図３】
2016078693.tif 000005